(57)【要約】【課題】  運動を効果的に行うことができる上、ダンパ部材を組み合わせて回転駆動の抵抗力を大きくすることで、腕、肩及び腰の運動を行うことができる回転式全身運動トレーニングマシーン構造を提供する。【解決手段】  回転式全身運動トレーニングマシーン構造は、回転機構１０、ダンパ部材２０及びロッド部材３０を備える。回転機構１０は、フレーム１１と、駆動中心軸１２１を中心として回転駆動するように枢着されたフライホイール１２とを有する。ダンパ部材２０は、フライホイール１２との間の抵抗力を調整する調整部材２１を有し、回転機構１０に取り付けられ、フライホイール１２の回転縁部に近接して配置されている。ロッド部材３０は、側部に配置された把持部３１を有し、フライホイール１２に枢着されている。【選択図】  図２
0003165284.tif 000002
【実用新案登録請求の範囲】
【請求項１】
回転機構、ダンパ部材及びロッド部材を備える回転式全身運動トレーニングマシーン構造であって、
前記回転機構は、フレームと、駆動中心軸を中心として回転駆動するように枢着されたフライホイールと、を有し、
前記ダンパ部材は、前記フライホイールとの間の抵抗力を調整する調整部材を有し、前記回転機構に取り付けられ、前記フライホイールの回転縁部に近接して配置され、
前記ロッド部材は、側部に配置された把持部を有し、前記フライホイールに枢着され、
ユーザが前記ロッド部材の前記把持部を両手で掴み、押したり引いたりして前記駆動中心軸を中心として前記フライホイールを回転させ、腕、肩及び腰に力を入れ、身体を前後に倒したり、両足で立ちながら腰及び腹部を前後に振ったりし、前記フライホイールの回転駆動に合わせて全身をリズミカルに振る運動効果を得て、
前記回転機構は、前記フライホールの縁部に対応して配置された前記ダンパ部材を有し、ユーザが得たい運動効果に応じて前記ダンパ部材と前記フライホイールとの間に発生する抵抗力を調整する調整部材を有することを特徴とする回転式全身運動トレーニングマシーン構造。
【請求項２】
前記回転機構は、底部にベースが配置され、
前記ベースは、側部に配置された足踏みパッドを有することを特徴とする請求項１に記載の回転式全身運動トレーニングマシーン構造。
【請求項３】
前記回転機構は、壁又は卓上に直接配置されていることを特徴とする請求項１に記載の回転式全身運動トレーニングマシーン構造。
【請求項４】
前記ロッド部材は、前記フライホイールに偏心するように枢着されていることを特徴とする請求項１に記載の回転式全身運動トレーニングマシーン構造。
【請求項５】
前記ロッド部材は、前記フライホイールの前記駆動中心軸に取り付けられて連動するクランクを有し、
前記クランクは、前記フライホイールと同期で回転することを特徴とする請求項１に記載の回転式全身運動トレーニングマシーン構造。
【請求項６】
前記回転機構と前記ロッド部材との間には、連動装置が配置されていることを特徴とする請求項１に記載の回転式全身運動トレーニングマシーン構造。
【請求項７】
前記連動装置は、前記回転機構の前記フレームに枢着される回転盤であり、駆動部材が掛け渡され、前記フライホイールの前記駆動中心軸に配置された連動部材に接続され、
前記ロッド部材は、前記連動装置に取り付けられ、押したり引いたりすることで、前記連動装置を回転駆動させ、前記駆動部材により前記フライホイールを同期で駆動させることにより、ユーザが全身に力を入れて運動を行い、前記ダンパ部材を用いて所望のトレーニング効果を得ることを特徴とする請求項６に記載の回転式全身運動トレーニングマシーン構造。
【請求項８】
前記ロッド部材は、回転盤である前記連動装置に偏心するように枢着されていることを特徴とする請求項７に記載の回転式全身運動トレーニングマシーン構造。
【請求項９】
前記ロッド部材は、前記回転盤と同期で回転駆動するクランクを介して前記連動装置の回転軸の中心部に取り付けられていることを特徴とする請求項７に記載の回転式全身運動トレーニングマシーン構造。
【請求項１０】
前記回転機構の前記フライホイールは、縦向きに配置されて回転駆動し、
前記回転機構と前記ロッド部材との間には、連動装置が配置されていることを特徴とする請求項１に記載の回転式全身運動トレーニングマシーン構造。
【請求項１１】
前記連動装置は、縦向きに配置された回転駆動する軸ロッドであり、前記軸ロッドの末端には、扇形のギヤである前記駆動部材が設けられ、前記フライホイールの前記駆動中心軸には、扇形のギヤである連動部材が設けられ、
前記連動装置は、前記駆動部材により、前記フライホイールの前記連動部材に嵌合されて連動し、縦向きに配置された前記フライホイールの回転外縁部に対応するように前記ダンパ部材が配置され、
前記ダンパ部材は、前記調整部材を有し、
前記ロッド部材は、前記クランクを介して前記連動装置が枢着されていることを特徴とする請求項１０に記載の回転式全身運動トレーニングマシーン構造。
【考案の詳細な説明】
【技術分野】
【０００１】
本考案は、トレーニングマシーン構造に関するものであり、さらに詳しくは、回転式全身運動トレーニングマシーン構造に関するものである。
【背景技術】
【０００２】
図１７を参照する。図１７に示すように、従来のツイスト運動装置は、回転ロッド６１，７１を同方向に回転させるために、本体５０内にモータ５１及び伝動ギヤセット５２が配置され、前方回転ロッド６１を嵌入するために用いる高い垂直パイプ５３が前方に配置されている。前方回転装置６０は、本体５０の前方に配置され、立設状態の回転ロッド６１を有する。回転ロッド６１には、伸縮ロッド６２が貫設されている。伸縮ロッド６２の上端には、立設状態の回転可能な接続ロッド６３が嵌合され、僅かに傾斜しているＴ字状の押し棒６４が接続されている。押し棒６４の両端には、ユーザが手で掴むことができる把持部６４１が設けられている。後方回転装置７０は、本体５０の後方に配置され、立設状態の回転ロッド７１を有する。回転ロッド７１は、前方の回転ロッド６１より低い。回転ロッド７１の上部に設けられた水平なエルボ７１１は、伸縮する回転アーム７２に嵌合されている。回転アーム７２の端部には、自由に回転する回転盤７３が上方に配置され、自由に回転するローラ７４が下方に配置されている。上述の部品によって構成されたツイスト運動装置は、ユーザが回転盤７３の上に立って押し棒６４を手で掴み、回転ロッド７１の回転により回転アーム７２及び回転盤７３が駆動するため、ユーザはツイスト運動を行うことができる。しかし、従来のツイスト運動装置には、以下のような欠点がある。
【０００３】
従来のツイスト運動装置を使用する際、ユーザは、回転盤７３上に直接立ち、前方回転装置６０に配置された押し棒６４を両手で掴むが、モータ５１の駆動を利用して駆動させるため、ユーザ自らの力で駆動させる必要がない。そのため、運動又はトレーニングの効果が好ましくない。また、ユーザは、回転盤７３の動きによりバランスを失い易いため、両手に力を加えることが困難である。そのため、運動又はトレーニングの効果が好ましくなく、実用性に欠けるという問題がある。
【考案の開示】
【考案が解決しようとする課題】
【０００４】
従って、本考案の課題は、ユーザが足踏みパッド又は地面の上に直接立ち、駆動ロッドに配置された把持部を両手で掴んで押したり引いたりすることにより、運動を効果的に行うことができ、腕、肩及び腰の運動を行うことができるトレーニングマシーン構造を提供することにある。
【課題を解決するための手段】
【０００５】
そこで、本考案者は、前記課題を解決するために検討を重ねた結果、さらに、ダンパ部材を組み合せて回転駆動の抵抗力を大きくすることにより、前記課題を解決できることに着目し、かかる知見に基いて本考案に想到するに至った。
【０００６】
かくして、上記課題を解決するために、本考案の第１の形態によれば、回転機構、ダンパ部材及びロッド部材を備える回転式全身運動トレーニングマシーン構造であって、前記回転機構は、フレームと、駆動中心軸を中心として回転駆動するように枢着されたフライホイールと、を有し、前記ダンパ部材は、前記フライホイールとの間の抵抗力を調整する調整部材を有し、前記回転機構に取り付けられ、前記フライホイールの回転縁部に近接して配置され、前記ロッド部材は、側部に配置された把持部を有し、前記フライホイールに枢着され、ユーザが前記ロッド部材の前記把持部を両手で掴み、押したり引いたりして前記駆動中心軸を中心として前記フライホイールを回転させ、腕、肩及び腰に力を入れ、体を前後に倒したり、両足で立ちながら腰及び腹部を前後に振ったりし、前記フライホイールの回転駆動に合わせて全身をリズミカルに振る運動効果を得て、前記回転機構は、前記フライホールの縁部に対応して配置された前記ダンパ部材を有し、ユーザが得たい運動効果に応じて前記ダンパ部材と前記フライホイールとの間に発生する抵抗力を調整する調整部材を有することを特徴とする回転式全身運動トレーニングマシーン構造が提供される。
【０００７】
前記回転機構は、底部にベースが配置され、前記ベースは、側部に配置された足踏みパッドを有することが好ましい。
【０００８】
前記回転機構は、壁又は卓上に直接配置されることが好ましい。
【０００９】
前記ロッド部材は、前記フライホイールに偏心するように枢着されていることが好ましい。
【００１０】
前記ロッド部材は、前記フライホイールの前記駆動中心軸に取り付けられて連動するクランクを有し、前記クランクは、前記フライホイールと同期で回転することが好ましい。
【００１１】
前記回転機構と前記ロッド部材との間には、連動装置が配置されることが好ましい。
【００１２】
前記連動装置は、前記回転機構の前記フレームに枢着される回転盤であり、駆動部材が掛け渡され、前記フライホイールの前記駆動中心軸に配置された連動部材に接続され、前記ロッド部材は、前記連動装置に取り付けられ、押したり引いたりすることで、前記連動装置を回転駆動させ、前記駆動部材により前記フライホイールを同期で駆動させることにより、ユーザが全身に力を入れて運動を行い、前記ダンパ部材を用いて所望のトレーニング効果を得ることが好ましい。
【００１３】
前記ロッド部材は、回転盤である前記連動装置に偏心するように枢着されることが好ましい。
【００１４】
前記ロッド部材は、前記回転盤と同期で回転駆動するクランクを介して前記連動装置の回転軸の中心部に取り付けられることが好ましい。
【００１５】
前記回転機構の前記フライホイールは、縦向きに配置されて回転駆動し、前記回転機構と前記ロッド部材との間には、連動装置が配置されることが好ましい。
【００１６】
前記連動装置は、縦向きに配置された回転駆動する軸ロッドであり、前記軸ロッドの末端には、扇形のギヤである前記駆動部材が設けられ、前記フライホイールの前記駆動中心軸には、扇形のギヤである連動部材が設けられ、前記連動装置は、前記駆動部材により、前記フライホイールの前記連動部材に嵌合されて連動し、縦向きに配置された前記フライホイールの回転外縁部に対応するように前記ダンパ部材が配置され、前記ダンパ部材は、前記調整部材を有し、前記ロッド部材は、前記クランクを介して前記連動装置が枢着されていることが好ましい。
【考案の効果】
【００１７】
本考案の回転式全身運動トレーニングマシーン構造は、ユーザが足踏みパッド又は地面の上に直接立ち、駆動ロッドに配置された把持部を両手で掴んで押したり引いたりすることにより、運動を効果的に行うことができる上、ダンパ部材を組み合わせて回転駆動の抵抗力を大きくすることにより、腕、肩及び腰の運動を行うことができる。
【図面の簡単な説明】
【００１８】
【図１】本考案の第１実施形態による回転式全身運動トレーニングマシーン構造を示す斜視図である。
【図２】本考案の第１実施形態による回転式全身運動トレーニングマシーン構造を示す分解斜視図である。
【図３】本考案の第１実施形態による回転式全身運動トレーニングマシーン構造にクランクを組み合わせるときの状態を示す斜視図である。
【図４】本考案の第１実施形態による回転式全身運動トレーニングマシーン構造を使用するときの状態を示す側面図である。
【図５】本考案の第１実施形態による回転式全身運動トレーニングマシーン構造を使用するときの状態を示す斜視図である。
【図６】本考案の第１実施形態による回転式全身運動トレーニングマシーン構造を卓上に配置して使用するときの状態を示す斜視図である。
【図７】本考案の第１実施形態による回転式全身運動トレーニングマシーン構造のダンパ部材を調整して使用するときの状態を示す側面図である。
【図８】本考案の第２実施形態による回転式全身運動トレーニングマシーン構造を示す分解斜視図である。
【図９】本考案の第２実施形態による回転式全身運動トレーニングマシーン構造を示す斜視図である。
【図１０】本考案の第２実施形態による回転式全身運動トレーニングマシーン構造にクランクを組み合わせるときの状態を示す斜視図である。
【図１１】本考案の第２実施形態による回転式全身運動トレーニングマシーン構造を使用するときの状態を示す側面図である。
【図１２】本考案の第２実施形態による回転式全身運動トレーニングマシーン構造を使用するときの状態を示す斜視図である。
【図１３】本考案の第２実施形態による回転式全身運動トレーニングマシーン構造のダンパ部材を調整して使用するときの状態を示す平面図である。
【図１４】本考案の第３実施形態による回転式全身運動トレーニングマシーン構造を示す分解斜視図である。
【図１５】本考案の第３実施形態による回転式全身運動トレーニングマシーン構造を示す斜視図である。
【図１６】本考案の第３実施形態による回転式全身運動トレーニングマシーン構造を使用するときの状態を示す斜視図である。
【図１７】従来のツイスト運動機器構造を示す模式図である。
【考案を実施するための最良の形態】
【００１９】
以下、本考案の実施形態について図面に基づいて説明する。なお、これらによって本考案が限定されるものではない。
【００２０】
（第１実施形態）
図１及び図２を参照する。図１及び図２に示すように、本考案の第１実施形態による回転式全身運動トレーニングマシーン構造は、回転機構１０、ダンパ部材２０及びロッド部材３０を含む。回転機構１０は、フライホイール１２を枢着するために用いるフレーム１１を有する。フライホイール１２は、駆動中心軸１２１を中心に回転駆動する。回転機構１０の底部には、ベース１３が配置されてもよい。ベース１３の側部には、足踏みパッド１３１が配置されている。ダンパ部材２０は、フライホイール１２の回転縁部に近接するように、回転機構１０に取り付けられている。ダンパ部材２０は、摩擦、磁気吸引又は発電によって抵抗力を発生させ、ダンパ部材２０とフライホイール１２との間の抵抗力を調節することができる調整部材２１が設けられている。ロッド部材３０は、フライホイール１２に枢着され、側部に把持部３１が配置されている。ロッド部材３０は、フライホイール１２に偏心するように枢着され、フライホイール１２の駆動中心軸１２１にクランク３２を接続する（図３に示す）。クランク３２は、フライホイール１２に連動して回転する。
【００２１】
図４及び図５を参照する。図４及び図５に示すように、本考案の第１実施形態による回転式全身運動トレーニングマシーン構造を実際に使用する際、回転機構１０は、フレーム１１を介してベース１３上に取り付けたり、壁又は卓上に直接取り付けたりしてもよい（図６に示す）。ユーザが、ロッド部材３０の把持部３１を両手で掴んで押したり引いたりすると、フライホイール１２は、駆動中心軸１２１を中心として回転する。このように、ユーザは、腕、肩及び腰に力を入れながら、両足で立って体を前後に倒したり、腰又は腹部を前後に振ったりし、フライホイール１２の回転駆動に合わせ、全身をリズミカルに振ることもできる。回転機構１０には、フライホイール１２の縁部に対応するように配置され、調整部材２１を有するダンパ部材２０が取り付けられている。調整部材２１は、ユーザが得たい運動効果に応じ、フライホイール１２が回転駆動される際に、ダンパ部材２０とフライホイール１２との間に発生する抵抗力を微調整して抵抗力を増減させるために用いる（図７に示す）。
【００２２】
（第２実施形態）
図８及び図９を参照する。図８及び図９に示すように、本考案の第２実施形態による回転式全身運動トレーニングマシーン構造は、回転機構１０とロッド部材３０との間に連動装置４０が配置されている。この連動装置４０は、回転機構１０のフレーム１１に枢着された回転盤であり、駆動部材４１（例えば、ベルト又はチェーン）が掛け渡され、フライホイール１２の駆動中心軸１２１に配置された連動部材１２２に接続されている。ロッド部材３０は、回転盤である連動装置４０に偏心するように枢着されたり、連動装置４０の回転軸の中心部に、クランク３２により取り付けられたりしてもよい（図１０に示す）。このクランク３２は、回転盤に連動して回転駆動する。
【００２３】
図１１〜図１３を参照する。図１１〜図１３に示すように、本考案の第２実施形態による回転式全身運動トレーニングマシーンを実際に使用する際、回転機構１０をベース１３に取り付けたり、壁又は卓上に取り付けたりしてもよい。ユーザが、把持部３１を両手で掴み、押したり引いたりすると、連動装置４０が駆動され、駆動部材４１によりフライホイール１２が駆動される。このように、ユーザは、全身に力を入れて体を振ることにより効果的に運動を行うことができる。また、所望のトレーニング効果を得るために、ダンパ部材２０を配置してもよい。
【００２４】
（第３実施形態）
図１４及び図１５を参照する。図１４及び図１５に示すように、本考案の第３実施形態による回転式全身運動トレーニングマシーン構造は、回転機構１０のフライホイール１２を縦向きに配置して回転駆動させる。回転機構１０とロッド部材３０とは、連動装置４０により接続されている。連動装置４０は、縦向きに配置され回転駆動する軸ロッドであり、この軸ロッドの末端には、扇形のギヤである駆動部材４１が設けられ、フライホイール１２は、駆動中心軸１２１が接続される箇所に、扇形のギヤである連動部材１２２が設けられている。連動装置４０は、駆動部材４１によりフライホイール１２の連動部材１２２に嵌合されて連動する。また、ダンパ部材２０は、調整部材２１を有し、縦向きに配置されたフライホイール１２の回転外縁部に対応するように配置されている。ロッド部材３０には、クランク３２を介して連動装置４０が枢着されている。
【００２５】
図１６を参照する。図１６に示すように、本考案の第３実施形態による回転式全身運動トレーニングマシーン構造を実際に使用する際、ロッド部材３０には、回転駆動する連動装置４０がクランク３２を介して取り付けられている。連動装置４０と回転機構１０とは、扇形のギヤである駆動部材４１と連動部材１２２とが嵌合され、互いに連動する。ユーザがロッド部材３０の把持部３１を両手で掴み、力を入れて押したり引いたりすると、クランク３２により連動装置４０が連動し、回転駆動する。駆動部材４１とフライホイール１２の連動部材１２２との間に配置された扇形のギヤが連動し、ロッド部材３０及び連動装置４０に連動してフライホイール１２が回転する。ユーザは、ロッド部材３０を用いることにより、全身運動を行うことができる。また、ダンパ部材２０とフライホイール１２との間に抵抗力を発生させることにより、大きな力が必要なトレーニングを行うこともできる。
【００２６】
上述したことから分かるように、本考案の回転式全身運動トレーニングマシーン構造は、次のような運動効果を得ることができる。ユーザは、足踏みパッド又は地面に直接立ち、ロッド部材の把持部を両手で掴み、押したり引いたりすることで、運動を効果的に行うことができる。さらに、ダンパ部材を組み合わせることにより、回転駆動の抵抗力を高め、腕、肩及び腰を鍛えることもできる。また、回転動作を行う際、体を前後に倒したり、両足で立ちながら腰及び腹部を前後に振ったりすることにより運動効果を高めることもできる。
【００２７】
本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００２８】
１０  回転機構
１１  フレーム
１２  フライホイール
１３  ベース
２０  ダンパ部材
２１  調整部材
３０  ロッド部材
３１  把持部
３２  クランク
４０  連動装置
４１  駆動部材
５０  本体
５１  モータ
５２  伝動ギヤセット
５３  パイプ
６０  前方回転装置
６１  回転ロッド
６２  伸縮ロッド
６３  接続ロッド
６４  押し棒
７０  後方回転装置
７１  回転ロッド
７２  回転アーム
７３  回転盤
７４  ローラ
１２１  駆動中心軸
１２２  連動部材
１３１  足踏みパッド
６４１  把持部
７１１  エルボ
【図１】
0003165284.tif 000003
【図２】
0003165284.tif 000004
【図３】
0003165284.tif 000005
【図４】
0003165284.tif 000006
【図５】
0003165284.tif 000007
【図６】
0003165284.tif 000008
【図７】
0003165284.tif 000009
【図８】
0003165284.tif 000010
【図９】
0003165284.tif 000011
【図１０】
0003165284.tif 000012
【図１１】
0003165284.tif 000013
【図１２】
0003165284.tif 000014
【図１３】
0003165284.tif 000015
【図１４】
0003165284.tif 000016
【図１５】
0003165284.tif 000017
【図１６】
0003165284.tif 000018
【図１７】
0003165284.tif 000019